(57)【要約】      （修正有）【課題】多種類の模様替えが可能で、陳列の演出効果を高めることができる商品陳列棚を提供する。【解決手段】基台１Ａと棚板部材２からなり、基台１Ａは、四角形の骨組みである後枠体１と後枠体の両端から前方へ延びる骨組み状の両側枠体１Ｂからなる。両側枠体１Ｂに形成された複数の中間両側桟部材間に、棚板部材を適宜の数、適宜の箇所に差し渡しで設置する商品陳列棚は、棚板部材２の前方と側方は開放されており、陳列商品及び棚板部材２の出し入れが自在である。【選択図】図２
0003182957.tif 000002
【実用新案登録請求の範囲】
【請求項１】
上部横桟部材と両側縦骨部材で形成される後枠体と、
該両側縦骨部材と、該両側縦骨部材の上部から前方へ下り傾斜で延びる左右一対の傾斜骨部材と、該傾斜骨部材の前端と該両側縦骨部材を接続する両側桟部材で形成される直角三角形の枠部を含む両側枠体と、
該両側縦骨部材と該傾斜骨部材を接続する上下離間して複数形成された水平に延びる中間両側桟部材を有する基台と、
該中間両側桟部材間に、差し渡し状で載置される棚板部材とを有することを特徴とする商品陳列棚。
【請求項２】
最上段の中間両側桟部材の前後方向長さ（Ｌ）は、該棚板部材の前後方向長さと略同じであり、該最上段の中間両側桟部材の下方の中間両側桟部材の前後方向長さは、下方に行くに従い、（Ｌ）のｎ倍（ｎは２以上の整数）で、漸次ｎ数が連続して大きくなっていくことを特徴とする請求項１記載の商品陳列棚。
【請求項３】
該最上段の中間両側桟部材の直下の中間両側桟部材の前後方向長さは２（Ｌ）であり、その直下の中間両側桟部材の前後方向長さは３（Ｌ）であり、その直下の中間両側桟部材の前後方向長さは４（Ｌ）であることを特徴とする請求項２記載の商品陳列棚。
【請求項４】
該傾斜骨部材の前方及び上方は、開いていることを特徴とする請求項１〜３のいずれか１項に記載の商品陳列棚。
【請求項５】
該後枠体の下端から前方へ延びる最下両側桟部材を有し、該傾斜骨部材の前方端と該最下側桟部材を接続する鉛直方向に延びる前方両側縦骨部材を形成して、該直角三角形の枠部の下方に、四角形の枠部を更に形成したことを特徴とする請求項１〜４のいずれか１項に記載の商品陳列棚。
【請求項６】
該四角形の枠部に、該両側縦骨部材と該前方両側縦骨部材を接続する上下離間して複数形成された第２中間両側桟部材を形成したことを特徴とする請求項５に記載の商品陳列棚。
【請求項７】
該両側桟部材と最上段の第２中間両側桟部材を接続する鉛直方向に延びる中間縦骨部材を形成したことを特徴とする請求項１〜６のいずれか１項に記載の商品陳列棚。
【請求項８】
該両側縦骨部材と該中間縦骨部材間の寸法が、該棚板部材の前後方向長さと略同じであることを特徴とする請求項７記載の商品陳列棚。
【請求項９】
ゴンドラ陳列棚の長手方向の端に設置されるものであることを特徴とする請求項１〜８のいずれか１項に記載の商品陳列棚。
【考案の詳細な説明】
【技術分野】
【０００１】
本考案は、量販店、スーパー等で汎用されている主に、ゴンドラ陳列棚の端に設置される陳列形態の変更が容易な商品陳列棚に関するものである。
【背景技術】
【０００２】
従来、量販店、スーパー等で汎用されているゴンドラ陳列棚が知られている。ゴンドラ陳列棚は、図７や図８に示すように、間口を大きくして両側に設けた前後一対の支柱１０１ａ間に、棚板部材１０２ａを差し渡し、上下多段に設けた正面視外観が四角形の比較的大容量のものである。また、ゴンドラ陳列棚１００は、同じものを二つ用意し、これを背中合わせで使用することもある。このように、ゴンドラ陳列棚１００は正面及び背面に陳列面を有し、両面から顧客はアクセスできるものである。
【０００３】
このようなゴンドラ陳列棚１００に対して顧客は、正面から背面又は背面から正面に移動する際、ゴンドラ陳列棚１００の両サイドを通ることになる。ゴンドラ陳列棚１００の両サイドは、陳列面ではないため、陳列に関する限り、デッドスペースとなっている。ゴンドラ陳列棚１００の両サイドは、顧客が頻繁に通るため、陳列スペースとしては有益なものである。このため、ゴンドラ陳列棚１００の両サイドには、ヒット商品、割引商品などの販促商品Ｂを陳列するための小規模陳列体を設置することが多い。これらの小規模陳列体としては、図７に示すようなゴンドラ陳列棚の小型サイズの陳列棚１０５が知られている。また、図８に示すような網目状の面を有する陳列具１０４や、箱状の陳列具１０３等が知られている。図７に示す小型サイズの多段陳列棚１０５は、小型とは言え、多くの商品を陳列することができる。また、図８に示す網目状の面を有する陳列具１０４は、小物商品を吊り下げて陳列するため、見易く、取り易い。
【考案の概要】
【考案が解決しようとする課題】
【０００４】
しかしながら、図７の小型サイズの多段陳列棚は、陳列形態としては、ゴンドラの延長線上にあり、変わり映えがしないという問題がある。図８のゴンドラ陳列棚１００の端に設置される小規模陳列棚は、陳列する商品が限られるという問題がある。また、模様替えも限られてしまい、陳列の演出に欠けるという問題がある。
【０００５】
従って、本考案の目的は、主に、ゴンドラ陳列棚１００の端に設置される陳列棚であって、多種類の模様替えが可能で、陳列の演出効果を高めることができる商品陳列棚を提供することにある。
【課題を解決するための手段】
【０００６】
すなわち、本考案は、上記課題を解決するものであって、上部横桟部材と両側縦骨部材で形成される後枠体と、該両側縦骨部材と、該両側縦骨部材の上部から前方へ下り傾斜で延びる左右一対の傾斜骨部材と、該傾斜骨部材の前端と該両側縦骨部材を接続する両側桟部材で形成される直角三角形の枠部を含む両側枠体と、該両側縦骨部材と該傾斜骨部材を接続する上下離間して複数形成された水平に延びる中間両側桟部材を有する基台と、該中間両側桟部材間に、差し渡し状で載置される棚板部材とを有することを特徴とする商品陳列棚を提供するものである。
【０００７】
また、本考案は、最上段の中間両側桟部材の前後方向長さ（Ｌ）は、該棚板部材の前後方向長さと略同じであり、該最上段の中間両側桟部材の下方の中間両側桟部材の前後方向長さは、下方に行くに従い、（Ｌ）のｎ倍（ｎは２以上の整数）で、漸次ｎ数が連続して大きくなっていくことを特徴とする前記商品陳列棚を提供するものである。
【０００８】
また、本考案は、該最上段の中間両側桟部材の直下の中間両側桟部材の前後方向長さは２（Ｌ）であり、その直下の中間両側桟部材の前後方向長さは３（Ｌ）であり、その直下の中間両側桟部材の前後方向長さは４（Ｌ）であることを特徴とする前記商品陳列棚を提供するものである。
【０００９】
また、本考案は、該傾斜骨部材の前方及び上方は、開いていることを特徴とする前記商品陳列棚を提供するものである。
【００１０】
また、本考案は、該後枠体の下端から前方へ延びる最下両側桟部材を有し、該傾斜骨部材の前方端と該最下側桟部材を接続する鉛直方向に延びる前方両側縦骨部材を形成して、該直角三角形の枠部の下方に、四角形の枠部を更に形成したことを特徴とする前記商品陳列棚を提供するものである。
【００１１】
また、本考案は、該四角形の枠部に、該両側縦骨部材と該前方両側縦骨部材を接続する上下離間して複数形成された第２中間両側桟部材を形成したことを特徴とする前記商品陳列棚を提供するものである。
【００１２】
また、本考案は、該両側桟部材と最上段の第２中間側桟部材を接続する鉛直方向に延びる中間縦骨部材を形成したことを特徴とする請求項１〜６のいずれか１項に記載の商品陳列棚。
【００１３】
また、本考案は、該両側縦骨部材と該中間縦骨部材間の寸法が、該棚板部材の前後方向長さと略同じであることを特徴とする前記商品陳列棚を提供するものである。
【００１４】
また、本考案は、ゴンドラ陳列棚の長手方向の端に設置されるものであることを特徴とする前記商品陳列棚を提供するものである。
【考案の効果】
【００１５】
本考案は、側面視が傾斜状の陳列面であるため、顧客の目線より上方は空間部分が多く、ゴンドラ陳列棚の端に設置しても、圧迫感がなく、店内を狭く感じさせることがない。また、棚板部材の側面及び正面は開いており、正面及び側面からも商品を採ることができる。また、棚板部材は単に乗せて使用するため、雛壇状の陳列棚は、棚板部材を間引くことで、種々の陳列姿勢を演出することができる。また、棚板部材を収容するスペースを本体内に形成することができ、棚板部材の管理に都合がよい。
【図面の簡単な説明】
【００１６】
【図１】本考案の実施の形態における商品陳列棚の斜視図である。
【図２】図１の商品陳列棚の分解斜視図である。
【図３】図１の商品陳列棚の他の斜視図である。
【図４】図１の商品陳列棚の使用例を示す斜視図である。
【図５】図１の商品陳列棚の他の使用例を示す斜視図である。
【図６】図１の商品陳列棚の他の使用例を示す斜視図である。
【図７】従来の商品陳列棚の斜視図である。
【図８】従来の商品陳列棚の他の斜視図である。
【考案を実施するための形態】
【００１７】
本考案の実施の形態における商品陳列棚を図１〜図６を参照して説明する。商品陳列棚１０は、主に、ゴンドラ陳列棚の長手方向の端に設置されるものである。ゴンドラ陳列棚とは、量販店やスーパー等において多用されている汎用の陳列棚であり、前後一対で両側を形成する４本の支柱と、支柱間に差し渡しで設置される棚板部材とからなる多段陳列棚であり、外観は四角形の大きな陳列棚であり、両サイドには陳列面が無いものである。なお、本明細書中、「前後」、「横」などは、商品陳列棚１０を正面から見た方向を言い、商品陳列棚１０の正面は、ゴンドラ陳列棚から見て「横（サイド）」となる。なお、本考案の商品陳列棚の設置位置は、ゴンドラ陳列棚の端に制限されず、例えば、通常の壁面等の前であってもよい。なお、下記の実施の形態例においては、一例として、ゴンドラ陳列棚の端に設置される形態について主に説明する。
【００１８】
商品陳列棚１０の主構成部材は、基台１Ａと棚板部材２である。基台１Ａは図２に示すように、骨組み枠体であり、中間両側桟部材１５１間に棚板部材２が差し渡しで設置される。基台１Ａは、正面視が四角形、平面視が横コ字形状、側面視が直角三角形を含む形状であるため、棚板部材２の設置や間引きが容易にでき、陳列商品の出し入れが容易となる。基台１Ａの主構成部材は、四角形の骨組みである後枠体１と後枠体１の両端から前方へ延びる骨組み状の両側枠体１Ｂからなる。後枠体１と両側枠体１Ｂで囲まれる上方及び前方は開いており、棚板部材２の出し入れは前方側及び上方側から自在である。また、前方下端において横断する桟部材がないため、キャスター２１１付きの台車２０の出し入れも自在である。
【００１９】
後枠体１は、ゴンドラ陳列棚の端（サイド）と対峙する位置に設置され、上部横桟部材１１と両側縦骨部材１２ａ、１２ｂで形成される。上部横桟部材１１の長さは、ゴンドラ陳列棚の幅寸法と略同じである。また、両側縦骨部材１２ａ、１２ｂの高さは、ゴンドラ陳列棚の高さと略同じである。上部横桟部材１１及び両側縦骨部材１２ａ、１２ｂは、本例では共に、四角形断面の棒部材である。上部横桟部材１１及び両側縦骨部材１２ａ、１２ｂは、四角形断面の棒部材に限定されず、丸棒部材であってもよい。また、両側縦骨部材１２ａ、１２ｂの高さ方向の中間及び下端は、補強用として、両側縦骨部材１２ａ、１２ｂ間に、任意の構成要素である中間横桟部材１１１及び下端横桟部材１１２が接続されている。
【００２０】
両側枠体１Ｂは、両側縦骨部材１２ａ、１２ｂと、両側縦骨部材１２ａ、１２ｂの上部（本例では上端）から前方へ下り傾斜で延びる左右一対の傾斜骨部材１３ａ、１３ｂと、傾斜骨部材１３ａ、１３ｂの前端と両側縦骨部材１２ａ、１２ｂを接続する水平方向に延びる両側桟部材１４ａ、１４ｂで形成される直角三角形の枠部１Ｃを含むものである。両側縦骨部材１２ａ、１２ｂにおける両側桟部材１４ａ、１４ｂの接続位置は、両側縦骨部材１２ａ、１２ｂの下方位置である。これにより、直角三角形の枠部１Ｃは両側枠体１Ｂの大部分を占めることになる。なお、本考案において、直角三角形の枠部１Ｃは両側枠体１Ｂの全部であってもよい。この場合、直角三角形の枠部１Ｃと両側枠体１Ｂは同じである。傾斜骨部材１３ａ、１３ｂと両側桟部材１４ａ、１４ｂは、本例では、四角形断面の棒部材である。傾斜骨部材１３ａ、１３ｂは、四角形断面の棒部材に限定されず、円形断面の棒部材であってもよい。また、両側桟部材１４ａ、１４ｂは、四角形断面の棒部材とすることで、棚板部材２の安定した載置が可能となる。両側枠体１Ｂ中、直角三角形の枠部１Ｃを形成することで、顧客の目線より上方は空間部分が多くなり、商品陳列棚１０をゴンドラ陳列棚の端に設置しても、圧迫感がなく、店内を狭く感じさせることがない。
【００２１】
両側枠体１Ｂにおいて、両側縦骨部材１２ａ、１２ｂと傾斜骨部材１３ａ、１３ｂを接続する上下離間して複数形成された水平に延びる中間両側桟部材１５１を有する。中間両側桟部材１５１には、棚板部材２が差し渡し状で載置される。中間両側桟部材１５１は、上から下へ第１中間両側桟部材１５１ａ、１５１ｂ、第２中間両側桟部材１５２ａ、１５２ｂ、第３中間両側桟部材１５３ａ、１５３ｂである。中間両側桟部材１５１は、いずれも四角形断面形状の棒部材である。これにより、棚板部材２の設置が安定する。
【００２２】
最上段である第１中間両側桟部材１５１ａ、１５１ｂの前後方向長さ（Ｌ）は、棚板部材２の前後方向長さと略同じであり、第１中間両側桟部材１５１ａ、１５１ｂの下方の中間両側桟部材の前後方向長さは、下方に行くに従い、（Ｌ）のｎ倍（ｎは２以上の整数）で、漸次ｎ数が連続して大きくなっていく。すなわち、第１中間両側桟部材１５１ａ、１５１ｂの直下の第２中間両側桟部材１５２ａ、１５２ｂの前後方向長さは２（Ｌ）であり、その直下の第３中間両側桟部材１５３ａ、１５３ｂの前後方向長さは３（Ｌ）であり、その直下の第４中間両側桟部材（両側桟部材）１４ａ、１４ｂの前後方向長さは４（Ｌ）である。これにより、第１中間両側桟部材１５１ａ、１５１ｂ間には、棚板部材２が１枚、第２中間両側桟部材１５２ａ、１５２ｂ間には、棚板部材２が前後並びに２枚、第３中間両側桟部材１５３ａ、１５３ｂ間には、棚板部材２が前後並びに３枚、第４中間両側桟部材（両側桟部材）１４ａ、１４ｂ間には、棚板部材２が前後並びに４枚設置できる（図１）。
【００２３】
図１及び図４のような商品陳列棚１０において、傾斜骨部材１３ａ、１３ｂの上方及び前方は開いている。また、棚板部材２の前方及び両側方は、開口している。これにより、陳列商品Ａは横からでも取り出せる（図５及び図６）。
【００２４】
商品陳列棚１０において、後枠体１の下端から前方へ延びる最下両側桟部材１６ａ、１６ｂを有し、傾斜骨部材１３ａ、１３ｂの前方端と最下側桟部材１６ａ、１６ｂを接続する鉛直方向に延びる前方両側縦骨部材１７ａ、１７ｂを形成して、直角三角形の枠部１Ｃの下方に、四角形の枠部１Ｄを更に形成している。直角三角形の枠部１Ｃの直下に四角形の枠部１Ｄを形成することで、スキャナー付き台車２０の使用が可能となる。
【００２５】
商品陳列棚１０において、四角形の枠部１Ｄに、両側縦骨部材１２ａ、１２ｂと前方両側縦骨部材１７ａ、１７ｂを接続する上下離間して複数形成された第２中間両側桟部材１６１ａ、１６１ｂ、１６２ａ、１６２ｂを形成している。これにより、第２中間両側桟部材間に使用していない棚板部材２を重ねてストックすることができる。
【００２６】
商品陳列棚１０において、両側桟部材１４ａ、１４ｂと最上段の第２中間側桟部材１６１ａ、１６１ｂを接続する鉛直方向に延びる中間縦骨部材１９ａ、１９ｂを形成している。両側縦骨部材１４ａ、１４ｂと中間縦骨部材１９ａ、１９ｂ間の寸法が、棚板部材２の前後方向長さと略同じであるまた、これにより、使用していない棚板部材２をずれることなく、重ねて、安定してストックすることができる（図６）。
【００２７】
商品陳列棚１０において、棚板部材２は、長方形の薄板材である。なお、棚板部材２の両端には、両端から下方に少し延びる突起２１１が棚板部材２の全幅方向に掛けて形成されていてもよい。これにより、中間両側桟部材間への設置がずれることなく安定する。なお、中間両側桟部材には、棚板部材２が少なくとも１枚が使用されていればよい。
【００２８】
次に、商品陳列棚１０の使用方法について説明する。図１の商品陳列棚１０において、第１中間両側桟部材１５１ａ、１５１ｂ間には、棚板部材２が１枚、第２中間両側桟部材１５２ａ、１５２ｂ間には、棚板部材２が前後並びに２枚、第３中間両側桟部材１５３ａ、１５３ｂ間には、棚板部材２が前後並びに３枚、第４中間両側桟部材（両側桟部材）１４ａ、１４ｂ間には、棚板部材２が前後並びに４枚設置されている（図１）。これにより、４段の全ての棚板部材２上に商品Ａを陳列することができる（図５参照）。また、棚板部材２は、前後方向の移動が規制されるため設置安定性が高い。また、棚板部材２の陳列商品Ａは、前方からも横からも取り出すことができる。また、四角形の枠部１Ｄ間の空間には、キャスター付き台車２０等を設置することができる（図４）。キャスター付き台車２０は引き出せば、１つの陳列台を構成できる。
【００２９】
図３の商品陳列棚１０において、両側桟部材１４ａ、１４ｂ間には、棚板部材２が前後並びに４枚設置され、第２中間両側桟部材１５２ａ、１５２ｂ間には、棚板部材２が１枚設置されている。これにより、第２中間両側桟部材１５２ａ、１５２ｂに掛けられた棚板部材２及び両側桟部材１４ａ、１４ｂの奥側に掛けられた棚板部材２には、やや背の高い商品が陳列でき、両側桟部材１４ａ、１４ｂの手前側に掛けられた３枚の棚板部材２には、背の高い商品が陳列できる。このように、棚板部材２を適宜間引くことで、種々の陳列面を形成することができる。
【００３０】
図６の商品陳列棚１０において、両側桟部材１４ａ、１４ｂ間には、棚板部材２が前後並びに４枚設置され、第３中間両側桟部材１５３ａ、１５３ｂ間の奥側には、棚板部材２が２枚設置されている。第１中間両側桟部材１５１ａ、１５１ｂ間には、棚板部材２が１枚設置されている。これにより、両側桟部材１４ａ、１４ｂの手前側の２枚の棚板部材２、第３中間両側桟部材１５３ａ、１５３ｂに掛けられた２枚の棚板部材２及び第１中間両側桟部材１５１ａ、１５１ｂに掛けられた棚板部材２には、やや背の高い商品が陳列できる。また、四角形の枠部１Ｄ間の空間には、キャスター付き台車２０等を設置することができる（図６）。キャスター付き台車２０は引き出せば、１つの陳列台を構成できる。また、両側桟部材１４ａ、１４ｂの下方で、両側縦骨部材１４ａ、１４ｂと中間縦骨部材１９ａ、１９ｂ間には、使用していない棚板部材２を重ねてずれることなく、安定してストックすることができる。
【００３１】
本考案の商品陳列棚は、上記実施の形態例に限定されず、種々の変形例を採ることができる。例えば、直角三角形の枠部１Ｃ中に形成される中間両側桟部材１５１の設置個数は、上記３つに限定されず、２つ又は４つ以上であってもよい。また、四角形の枠部１Ｄ中に形成される第２中間両側桟部材は上記２つに限定されず、１つ又は３つ以上であってもよい。また、棚板部材２の設置形態は、例えば、図３において、両側桟部材１４ａ、１４ｂ間に設置された４枚の棚板部材２の中、手前の２枚を省略すれば、両側桟部材１４ａ、１４ｂ間に設置された奥側の２枚の棚板部材２の前方であって、両側枠体１Ｂ間の空間に床置きの背の高い商品を陳列することもできる。
【産業上の利用可能性】
【００３２】
本考案によれば、店側においては、ゴンドラ陳列棚の端のスペースを圧迫感を与えることなく、有効に利用できる。また、棚板部材の間引き等により、容易に陳列形態を変えることができる。また、棚板部材は本体内に収容できるため、保管と管理に便利である。また、利用側においては、横からも商品が取り出せ便利である。また、頻繁に行われる模様替えにより、陳列に新鮮さがあり、楽しいショッピングができる。
【符号の説明】
【００３３】
１        後枠体
１Ａ      基台
１Ｂ    両側枠体
１Ｃ    直角三角形の枠部
１Ｄ    四角形の枠部
２    棚板部材
１０      商品陳列棚
１１    上部横桟部材
１２ａ、１２ｂ    両側縦骨部材
１３ａ、１３ｂ    傾斜骨部材
１４ａ、１４ｂ    両側桟部材
２０      台車
１１１  中間横桟部材
１１２  下端横桟部材
１５１    中間両側桟部材
【図１】
0003182957.tif 000003
【図２】
0003182957.tif 000004
【図３】
0003182957.tif 000005
【図４】
0003182957.tif 000006
【図５】
0003182957.tif 000007
【図６】
0003182957.tif 000008
【図７】
0003182957.tif 000009
【図８】
0003182957.tif 000010